(57)【要約】【課題】  複数のモードで動作する電子デバイスの操作性を向上させる操作パネル及びそれを用いたマルチファンクションプリンタを提供する。【解決手段】  第一グループに属する複数のモードを巡回選択するための第一グループ選択ボタンと、第二グループに属するモードを選択するための第二グループ選択ボタンと、選択されているモードに応じた要求を入力するための少なくとも１つの要求ボタンと、を備える操作パネル。【選択図】    図１
2007041183.tif 000002
【特許請求の範囲】
【請求項１】
第一グループに属する複数のモードを巡回選択するための第一グループ選択ボタンと、
第二グループに属するモードを選択するための第二グループ選択ボタンと、
選択されているモードに応じた要求を入力するための少なくとも１つの要求ボタンと、
を備える操作パネル。
【請求項２】
前記第一グループ選択ボタンに対応付けて配置され、前記第一グループに属する対応するモードが選択されているとき点灯又は点滅するモード表示電灯と、
前記モード表示電灯に対応付けて配置され、対応する前記モード表示電灯に対応付けられているモードを表すモード記号とをさらに備える、
請求項１に記載の操作パネル。
【請求項３】
複数の前記モード表示電灯の少なくともいずれか１つは、前記第一グループに属する２つのモードに対応し、対応する２つのモードの一方が選択されているとき点灯し、対応する２つのモードの他方が選択されているとき点滅する、
請求項２に記載の操作パネル。
【請求項４】
選択されているモードに応じた設定と、前記設定の互いに異なる項目の変更要求を入力するための複数の前記要求ボタンを表す複数のボタン記号とを表示するディスプレイをさらに備える、
請求項１に記載の操作パネル。
【請求項５】
請求項４に記載の操作パネルと、
画像を読み取るスキャンユニットと、
外部記憶媒体に格納されている画像にアクセスするアクセスユニットと、
画像を印刷するプリントユニットと、
開始ボタンと、
を備え、
複数のモードのいずれかであるコピーモードが選択されると、印刷部数の前記変更要求を入力するための前記要求ボタンを表す前記ボタン記号を前記ディスプレイが表示し、この状態で前記開始ボタンが押されると、前記スキャンユニットによって画像を読み取り、前記スキャンユニットによって読み取られた画像を前記プリントユニットが変更された印刷部数印刷し、
複数のモードのいずれかであるプリントモードが選択されると、画像の選択要求である前記変更要求を入力するための前記要求ボタンを表す前記ボタン記号と印刷部数の前記変更要求を入力するための前記要求ボタンを表す前記ボタン記号とを前記ディスプレイが一画面に表示し、この状態で前記開始ボタンが押されると、前記アクセスユニットが選択された画像にアクセスし、前記アクセスユニットによってアクセスされた画像を前記プリントユニットが変更された印刷部数印刷する、
マルチファンクションプリンタ。
【請求項６】
紙質を巡回選択するための紙質選択ボタンと、
対応する前記紙質が選択されているとき点灯又は点滅する紙質表示電灯と、
前記紙質表示電灯に対応付けて配置され、対応付けられている前記紙質表示電灯に対応付けられている前記紙質を表す紙質記号と、
紙サイズを巡回選択するための紙サイズ選択ボタンと、
対応する前記紙サイズが選択されているとき点灯又は点滅する紙サイズ表示電灯と、
前記紙サイズ表示電灯に対応付けて配置され、対応付けられている前記紙サイズ表示電灯に対応付けられている前記紙サイズを表す紙サイズ記号と、
をさらに備え、
前記コピーモード及び前記プリントモードでは、前記開始ボタンが押されると、選択されている前記紙質及び前記紙サイズの用紙に応じて前記プリントユニットが印刷する、
請求項５に記載のマルチファンクションプリンタ。
【発明の詳細な説明】
【技術分野】
【０００１】
本発明は操作パネル及びそれを備えたマルチファンクションプリンタに関し、特に複数のモードで動作する電子デバイスのユーザインタフェースに関する。
【背景技術】
【０００２】
複数の機能を備えた電子デバイスは、複数のモードのそれぞれで異なる機能を提供する。例えば、画像の印刷、コピー及びスキャンの機能を備えたマルチファンクションプリンタでは、プリントモード、コピーモード、スキャンモードのそれぞれで印刷機能、コピー機能、スキャン機能を提供している。また近年、マルチファンクションプリンタでは、リムーバブルメモリに格納されている画像を全て印刷するモード、リムーバブルメモリに格納されている画像を操作パネルで選択して印刷するモード、リムーバブルメモリに格納されている画像を選択するためのマークシートを印刷するモード、マークシートを読み取って選択された画像を印刷するモード、写真フィルムを読み取って印刷するモードなど、新しいモードが次々に追加される傾向にある。
【０００３】
モード数が増加するほど、選択対象項目が増加するため、多数の選択対象項目から所望の項目を容易に選択することのできるユーザインタフェースの重要性が高まる。項目の選択要求と選択確定要求とが個別に入力される対話型メニューを用いたユーザインタフェースでは、操作ボタンの数を減らすことができるものの、機能が多くなるほど項目間の関連性をユーザに認識させるためにメニューの階層が深くなる傾向にあるため、メニューの階層が深くなったりボタンの操作回数が多くなって扱いにくくなるという問題がある。一方、項目毎にボタンを割り当てると、項目の増加に伴ってボタンの数が多くなり、レイアウトやコストの制約を受けたり、選択しようとする項目に対応するボタンをすばやく見つけることが困難になるという問題がある。また、複数の項目を巡回選択するためのボタンと、選択されている項目を示すためのインジケータとを組み合わせたユーザインタフェースでは、複数の項目が選択順序で関連付けされるところ、選択順序だけでは、機能が近似した項目や項目間の従属関係をユーザに認識させることが難しい。
【発明の開示】
【発明が解決しようとする課題】
【０００４】
本発明は、上述した問題を解決するために創作されたものであって、複数のモードで動作する電子デバイスの操作性を向上させる操作パネル及びそれを用いたマルチファンクションプリンタを提供することを目的とする。
【課題を解決するための手段】
【０００５】
（１）前記目的を達成するための操作パネルは、第一グループに属する複数のモードを巡回選択するための第一グループ選択ボタンと、第二グループに属するモードを選択するための第二グループ選択ボタンと、選択されているモードに応じた要求を入力するための少なくとも１つの要求ボタンと、を備える。
択一選択されるモードを複数のグループに分け、モードを選択するためのボタンをグループ毎に割り当てることにより、モード間の類似関係や従属関係を操作パネルのボタンの違いによってユーザに認識させることができる。選択対象の項目間の類似関係や従属関係といった関連性をユーザに認識させることによって操作性が向上するため、操作パネルの各ボタンをモードのグループ毎に割り当てることにより、電子デバイスの操作性が向上する。また、同一グループに属する複数のモードが同一ボタンによって巡回選択される操作パネルでは、モードを選択するためのボタンの数が、モード毎にボタンが割り当てられている操作パネルに比べて少なくすることができる。
【０００６】
（２）前記操作パネルは、前記第一グループ選択ボタンに対応付けて配置され、前記第一グループに属する対応するモードが選択されているとき点灯又は点滅するモード表示電灯と、前記モード表示電灯に対応付けて配置され、対応する前記モード表示電灯に対応付けられているモードを表すモード記号と、をさらに備えてもよい。
複数のモードを巡回選択するボタンによって選択されるモードが、そのボタンに対応付けて配置された電灯の点灯又は点滅と、その電灯に対応付けられた文字や図形といった記号によって認識できる操作パネルでは、ユーザにとって、選択しようとするモードに対応するボタンを認識することが容易になり、また選択したモードを認識することが容易になる。
【０００７】
（３）複数の前記モード表示電灯の少なくともいずれか１つは、前記第一グループに属する２つのモードに対応し、対応する２つのモードの一方が選択されているとき点灯し、対応する２つのモードの他方が選択されているとき点滅してもよい。
モードに応じた複数の電灯が備えられ、電灯の点灯と点滅にそれぞれ別のモードが対応している操作パネルでは、同一の電灯の点灯と点滅に対応している２つのモード同士の関連性が、他の電灯に対応しているモードとの関連性よりも高いとユーザに認識される。したがって、このような操作パネルでは、モード間の類似関係や従属関係が絡み合った複雑な関連性をユーザに認識させることも可能になる。
【０００８】
（４）前記操作パネルは、選択されているモードに応じた設定と、前記設定の互いに異なる項目に対する変更要求を入力するための複数の前記要求ボタンを表す複数のボタン記号とを表示するディスプレイをさらに備えてもよい。
設定を変更するためのボタンが設定項目毎に備えた操作パネルでは、設定項目の選択要求と選択確定とを同時に入力できるため、通常のメニュー操作型の操作パネルに比べ、少ない操作で目的の設定項目を変更することができる。対応する設定項目の変更要求を入力するためのボタンを表す記号が表示されるディスプレイを備えた操作パネルでは、あるモードである要求を入力するためのボタンがどのボタンであるかをユーザに認識させることができるため、異なる要求を入力するためのボタンを共通にすることによってボタンの数を少なくすることができる。
【０００９】
（５）前記目的を達成するためのマルチファンクションプリンタは、前記操作パネルと、画像を読み取るスキャンユニットと、外部記憶媒体に格納されている画像にアクセスするアクセスユニットと、画像を印刷するプリントユニットと、開始ボタンと、を備え、複数のモードのいずれかであるコピーモードが選択されると、印刷部数の前記変更要求を入力するための前記要求ボタンを表す前記ボタン記号を前記ディスプレイが表示し、この状態で前記開始ボタンが押されると、前記スキャンユニットによって画像を読み取り、前記スキャンユニットによって読み取られた画像を前記プリントユニットが変更された印刷部数印刷し、複数のモードのいずれかであるプリントモードが選択されると、画像の選択要求である前記変更要求を入力するための前記要求ボタンを表す前記ボタン記号と印刷部数の前記変更要求を入力するための前記要求ボタンを表す前記ボタン記号とを前記ディスプレイが一画面に表示し、この状態で前記開始ボタンが押されると、前記アクセスユニットが選択された画像にアクセスし、前記アクセスユニットによってアクセスされた画像を前記プリントユニットが変更された印刷部数印刷する。
このマルチファンクションプリンタによると、コピーモードの選択要求と、印刷部数の変更要求と、印刷開始の要求とを対話型のメニューを操作することなく入力することができるため、コピー機能を利用するために必要なボタン操作回数が少ない。またこのマルチファンクションプリンタによると、プリントモードの選択要求と、画像の選択要求と、印刷部数の変更要求と、印刷開始の要求とを対話型のメニューを操作することなく入力することができるため、外部記憶媒体に格納されている画像を選択して印刷する機能を利用するために必要なボタン操作回数が少ない。
【００１０】
（６）前記マルチファンクションプリンタは、紙質を巡回選択するための紙質選択ボタンと、対応する前記紙質が選択されているとき点灯又は点滅する紙質表示電灯と、前記紙質表示電灯に対応付けて配置され、対応付けられている前記紙質表示電灯に対応付けられている前記紙質を表す紙質記号と、紙サイズを巡回選択するための紙サイズ選択ボタンと、対応する前記紙サイズが選択されているとき点灯又は点滅する紙サイズ表示電灯と、前記紙サイズ表示電灯に対応付けて配置され、対応付けられている前記紙サイズ表示電灯に対応付けられている前記紙サイズを表す紙サイズ記号と、をさらに備え、前記コピーモード及び前記プリントモードでは、前記開始ボタンが押されると、選択されている前記紙質及び前記紙サイズの用紙に応じて前記プリントユニットが印刷する。
このマルチファンクションプリンタによると、紙質の選択要求と、紙サイズの選択要求とを対話型のメニューを操作することなく入力することができるため、様々な紙に画像を印刷する機能を利用するために必要なボタン操作回数が少ない。
【００１１】
尚、本発明に備わる複数のユニットの各機能は、構成自体で機能が特定されるハードウェア資源、プログラムにより機能が特定されるハードウェア資源、又はそれらの組み合わせにより実現される。また、これら複数のユニットの各機能は、各々が物理的に互いに独立したハードウェア資源で実現されるものに限定されない。
【発明を実施するための最良の形態】
【００１２】
以下、実施例に基づいて本発明の実施の形態を説明する。
１．マルチファンクションプリンタの構成
図２は、本発明の一実施例としてのマルチファンクションプリンタ（ＭＦＰ）１の外観を示す平面図である。図３は、ＭＦＰ１の機械的構造を示す模式図である。図４は、ＭＦＰ１の電気的構成を示すブロック図である。ＭＦＰ１は、リムーバブルメモリ９６から画像を入力して印刷する機能、画像を読み取って印刷する機能などを備えている。
【００１３】
スキャンユニット５０は、プラテンガラス１２、プラテンガラス１２を保持しているプラテンフレーム１０、ＣＩＳ（Contact Image Sensor）ユニット１６、光源電灯１４、ＣＩＳユニット１６及び光源電灯１４を搭載しているキャリッジ２０、キャリッジ２０に係止されたベルト２２、ベルト２２が掛けられているプーリ２４、２６、プーリ２４、２６を回転させるセンサモータ２８、光源駆動部５２、センサ駆動部５４、センサモータ駆動部６０等で構成されている。
【００１４】
ＣＩＳユニット１６は図示しない屈折率分布型レンズとイメージセンサ５６で構成されている。プラテンガラス１２に載置された状態で光源電灯１４に照明された原稿は、屈折率分布型レンズによってイメージセンサ５６の受光面に結像される。多数のフォトダイオードが直線的に配列されているイメージセンサ５６は、センサ駆動部５４によって駆動される。イメージセンサ５６からは原稿の光学像の濃淡に相関したアナログ信号が出力される。イメージセンサ５６から出力されたアナログ信号はＡＦＥ（Analog Front End）部５８によってディジタル信号に変換される。センサモータ２８は、センサモータ駆動部６０によって駆動され、プーリ２４、２６を回転させることによってキャリッジ２０をイメージセンサ５６のフォトダイオードの配列方向（主走査方向）と垂直な方向（副走査方向）に往復移動させる。尚、スキャンユニット５０は、原稿密着型であってもよいし、縮小光学型であってもよい。
【００１５】
プリントユニット７０は、インクジェット方式で用紙に画像を印刷するための印字ヘッド３４、印字ヘッド３４に係止されたベルト３２、ベルト３２が掛けられているプーリ３０、３８、プーリ３０、３８を回転させるヘッドモータ４０、送紙ローラ４２、４４、送紙ローラ４２、４４を回転させるための送紙モータ４６、ヘッドモータ駆動部６２、送紙モータ駆動部６４、ヘッド駆動部６９、印刷制御部６６等で構成されている。印字ヘッド３４は、ヘッド駆動部６９によって駆動される圧電素子６７、ノズル等で構成され、インクカートリッジ３６から供給されるインクをノズルから噴射する。ヘッドモータ４０は、ヘッドモータ駆動部６２によって駆動され、プーリ３０、３８を回転させることによって印字ヘッド３４を往復移動させる。送紙モータ４６は、送紙モータ駆動部６４によって駆動され、送紙ローラ４２、４４を回転させることによって印字ヘッド３４の移動方向と垂直な方向に用紙を搬送する。印刷制御部６６は、ＲＡＭ７４から順次印字データが転送されるバッファメモリと、バッファメモリに格納された印字データをヘッド駆動部６９に出力するタイミングを印字ヘッド３４の位置に応じて制御する機能と、ヘッドモータ駆動部６２及び送紙モータ駆動部６４を制御する機能とを備えるＡＳＩＣである。尚、プリントユニット７０は、レーザ方式でもよいし、サーマル方式でも良い。
【００１６】
アクセスユニットとして機能する外部メモリコントローラ９４は、図示しないカードスロットから挿入されたリムーバブルメモリ９６に接続される。リムーバブルメモリ９６に格納されたデータは外部メモリコントローラ９４によって読み出され、ＲＡＭ７４に転送される。
アクセスユニットとして機能する通信部９２は、制御部７２がＰＣ等の外部のシステムと通信するための通信インタフェースである。通信部９２は、ＬＡＮ、インターネット、ＵＳＢ等を通じて外部のシステムと通信する。
【００１７】
ディジタル画像処理部８０は、ガンマ補正、シェーディング補正、カラーバランス補正、ＪＰＥＧ画像のデコード、解像度変換、アンシャープ処理、階調補正、二値化、分版処理等の画像処理をＣＰＵ７８と協働して実行するＤＳＰ等の専用回路である。ディジタル画像処理部８０は、スキャンユニット５０から出力される画像や外部メモリコントローラ９４によって読み出された画像のフォーマットを印刷に適したフォーマットに変換する。
【００１８】
制御部７２は、ＲＡＭ７４、ＲＯＭ７６及びＣＰＵ７８を備える。ＣＰＵ７８はＲＯＭ７６に格納されている制御プログラムを実行してＭＦＰ１の各部を制御する。ＲＯＭ７６は、制御プログラムを格納している不揮発性メモリである。ＲＡＭ７４は、制御プログラムやスキャンユニット５０に読み取られた画像等の各種のデータが一時的に格納される揮発性メモリである。制御プログラムは遠隔地のサーバからネットワークを経由してＲＯＭ７６に格納してもよいし、リムーバブルメモリ９６等のコンピュータ読み取り可能な記録媒体を経由してＲＯＭ７６に格納してもよい。
【００１９】
操作パネル６８は、モードに応じた設定やステータスを表示するためのＦＰＤ（Flat Panel Display）８８、ＦＰＤ８８を駆動するディスプレイ駆動部（ＤＳＰＤ）８６、モードや設定を変更するための押しボタン群８２、モードや設定を表示するためのモード表示電灯としてのＬＥＤ群８４、ＬＥＤ群８４を駆動するＬＥＤ駆動部（ＬＥＤＤ）９０これらを保持しているハウジング１２９等で構成されている。ハウジング１２９にはＬＥＤやボタンを説明するための文字及び図形からなる複数の記号が印刷されている。ＦＰＤ８８の画面は、制御部７２によって生成されＲＡＭ７４のフレームメモリ領域に格納される画像に基づいてＤＳＰＤ８６がＦＰＤ８８を駆動することによって表示される。ＬＥＤ群８４の点灯、点滅及び消灯は制御部７２の制御下で動作するＬＥＤＤ９０で制御してもよいし、操作パネル６８内で閉じた順序回路で制御しても良い。
【００２０】
２．マルチファンクションプリンタの機能
ＭＦＰ１は、電源ボタン１８０が押されると起動し、ボタン１７８、１６４、１６６の操作に応じた、オールプリントモード、セレクトプリントモード、オーダシートプリントモード、オーダプリントモード、手書き合成シートプリントモード、手書き合成プリントモード、写真プリントモード、等倍コピーモード、変倍コピーモードのいずれかのモードで作動する。
【００２１】
オールプリントモードとは、外部記憶媒体としてのリムーバブルメモリ９６に格納されている所定フォーマットの全ての画像をプリントユニット７０で印刷する機能をＭＦＰ１が提供するモードである。
セレクトプリントモードとは、リムーバブルメモリ９６に格納されている画像をユーザに選択させ、ユーザが選択した画像をプリントユニット７０で印刷する機能をＭＦＰ１が提供するモードである。
【００２２】
オーダシートプリントモードとは、図５に示すオーダシート２１０をプリントユニット７０で印刷する機能をＭＦＰ１が提供するモードである。オーダシート２１０は、リムーバブルメモリ９６に格納されている所定フォーマットの全ての画像２００の一覧と、画像２００を選択するためのマークを記入する位置を示すマーク２０２と、各種の印刷設定を入力するためのマークを記入する位置を示すマーク２０１と、プラテンガラス１２に載置されている原稿がオーダシート２１０であることを制御部７２が認識するためのマーク２０４、マーク２０２、２０４、２０１の位置を制御部７２が検出するための基準マーク２０６、２０８とが印刷された用紙である。
【００２３】
オーダプリントモードとは、図６に示すように画像２００を選択するためのマークと印刷設定を入力するためのマークがユーザによって記入されたオーダシート２１０をスキャンユニット５０で読み取り、ユーザによって選択された画像をＯＭＲ（Optical Mark Recognition）によって特定し、ユーザによって選択された画像を外部メモリコントローラ９４がアクセスし、その画像をプリントユニット７０で印刷する機能をＭＦＰ１が提供するモードである。
【００２４】
手書き合成シートプリントモードとは、図７に示す手書き合成シート２３２をプリントユニット７０で印刷する機能をＭＦＰ１が提供するモードである。手書き合成シート２３２は、手書き文字を記入する領域を示す枠２３８と、ユーザによって選択された画像を淡色化した画像２３６と、画像２３６の色域と同じ色域を持つサンプルマーク２３０と、合成処理の設定要求を入力するためのマークを記入する位置を示すマーク２２２と、印刷部数を入力するためのマークを記入する位置を示すマーク２２６と、プラテンガラス１２に載置されている原稿が手書き合成シート２３２であることを制御部７２が認識するためのマーク２２４と、これらの位置を制御部７２が検出するための基準マーク２２０、２３４、２２８が印刷された用紙である。
【００２５】
手書き合成プリントモードとは、図８に示すように、枠２３８内に画像２３６に重ねて手書き文字が記入され、印刷部数の設定要求などを入力するためのマークが所定位置に記入された手書き合成シート２３２をスキャンユニット５０で読み取り、制御部７２が手書き文字を画像２３６から分割し、ユーザが選択した画像と手書き文字とを合成し、合成された画像をプリントユニット７０で印刷する機能をＭＦＰ１が提供するモードである。
写真プリントモードとは、プラテンガラス１２に載置された写真フィルム又は紙焼き写真をスキャンユニット５０によって読み取り、カラーバランス補正等の画像処理が施された写真フィルム又は紙焼き写真の画像をプリントユニット７０で印刷する機能をＭＦＰ１が提供するモードである。
【００２６】
等倍コピーモードとは、プラテンガラス１２に載置された原稿をスキャンユニット５０によって読み取り、読み取った画像を原稿と等倍でプリントユニット７０で印刷する機能をＭＦＰ１が提供するモードである。
変倍コピーモードとは、プラテンガラス１２に載置された原稿をスキャンユニット５０によって読み取り、読み取った画像を紙サイズに応じて拡大又は縮小してプリントユニット７０で印刷する機能をＭＦＰ１が提供するモードである。
【００２７】
３．マルチファンクションプリンタの作動
図１、図９〜１７はボタン群８２の操作にともなう操作パネル６８の状態遷移を説明するための平面図である。
（オールプリントモード）
図１は電源ボタン１８０が押されてＭＦＰ１がオールプリントモードで起動した状態の操作パネル６８を示している。ＭＦＰ１は、オールプリントモードで起動し、手書き合成プリントモード、写真プリントモード、等倍コピーモード及び変倍コピーモードでボタン１７８が押されると、オールプリントモードに遷移する。オールプリントモードでは、ＬＥＤ１８２、１８６、１２０、１３８が点灯し、ＦＰＤ８８には印刷部数の初期設定を表す数字３００とボタン記号３０２、３０４が表示される。
【００２８】
点灯しているＬＥＤ１８６の近傍にＬＥＤ１８６と対応付けて「全て印刷／ダイレクト」というモード記号１８４が配置されているため、ユーザはＭＦＰ１がオールプリントモードで作動していることを認識できる。ボタン１７８の近傍にボタン１７８と対応付けて配置されているＬＥＤ１８６、１９０、１０２、１０４のそれぞれの近傍にそれぞれと対応付けてモード記号１８４（全て印刷／ダイレクト）、モード記号１８８（選んで印刷）、モード記号１０６（オーダシート（◎印刷／○使ってプリント））、モード記号１１０（手書き合成シート（◎印刷／○合成プリント））が配置されているため、第一グループ選択ボタンに相当するボタン１７８を押すことによって、オールプリントモード、セレクトプリントモード、オーダシートプリントモード、オーダプリントモード、手書き合成シートプリントモード、手書き合成プリントモードのいずれかを巡回的に選択できることをユーザは認識できる。またこれら６つのモードが他のモード（写真プリントモード、等倍コピーモード、変倍コピーモード）が対応付けられているボタン１６４、１６６（第二グループ選択ボタンに相当する。）とは別のボタン１７８に対応付けられているため、ユーザはこれら６つのモードで提供される機能に何らかの関連性があることを認識できる。さらに「メモリカード」というモードグループ記号１００がボタン１７８と対応付けて配置されているため、オールプリントモード、セレクトプリントモード、オーダシートプリントモード、オーダプリントモード、手書き合成シートプリントモード及び手書き合成プリントモードがリムーバブルメモリ９６に格納されている画像を印刷するという共通の機能を提供するモードであることをユーザは認識できる。ボタン１７８、１６４、１６６が環状に配列され、ＬＥＤ１８６、１９０、１０２、１０４、１６２、１６８、１７２も環状に配列されているため、ボタン１７８を押すことにより、オールプリントモード→セレクトプリントモード→オーダシートプリントモード→オーダプリントモード→手書き合成シートプリントモード→手書き合成プリントモード→オールプリントモード→・・・の順でモードを巡回選択でき、ボタン１６６を押すことにより等倍コピーモード→変倍コピーモード→等倍コピーモード→・・・の順でモードを巡回選択できることをユーザは認識できる。
【００２９】
点灯しているＬＥＤ１２０の近傍にＬＥＤ１２０と対応付けて「写真用紙」という紙質記号１１４が配置されているため、ユーザは印刷用紙の品質として写真用紙が設定されていることを認識できる。ＬＥＤ１２０は紙質表示電灯に相当する。ボタン１２４の近傍にボタン１２４と対応付けて配置されているＬＥＤ１１８、１２０、１２２のそれぞれの近傍にそれぞれと対応付けて紙質記号１１２（普通紙）、紙質記号１１４（写真用紙）、紙質記号１１６（インクジェットハガキ／マット紙）が配置されているため、ボタン１２４を押すことによって、普通紙、或いは、写真用紙、或いは、インクジェットハガキ及びマット紙に紙質の印刷設定を変更する要求を入力できることをユーザは認識できる。ボタン１２４が押されるたびに、制御部７２は紙質の印刷設定を普通紙→写真用紙→インクジェット及びマット紙→普通紙→・・・の順で巡回的に変更し、設定に応じたＬＥＤ１１８、１２０、１２２を点灯させる。
【００３０】
点灯しているＬＥＤ１３８の近傍にＬＥＤ１３８と対応付けて「Ｌ判」という紙サイズ記号１４０が配置されているため、ユーザは印刷用紙のサイズとしてＬ判が設定されていることを認識できる。ＬＥＤ１３８は紙サイズ表示電灯に相当する。ボタン１３６の近傍にボタン１３６と対応付けて配置されているＬＥＤ１４２、１３８、１３４のそれぞれの近傍にそれぞれと対応付けて紙サイズ記号１４４（Ａ４）、紙サイズ記号１４０（Ｌ判）、紙サイズ記号１３３（ハガキ）が配置されているため、ボタン１３６を押すことによって、Ａ４、Ｌ判又はハガキに紙サイズの印刷設定を変更する要求を入力できることをユーザは認識できる。ボタン１３６が押されるたびに、制御部７２は紙サイズの印刷設定をＡ４→Ｌ判→ハガキ→Ａ４・・・の順で巡回的に変更し、設定に応じたＬＥＤ１４２、１３８、１３４を点灯させる。
【００３１】
ＦＰＤ８８には「部数」という文字と数字３００とボタン記号３０２とボタン記号３０４が表示され、ＦＰＤ８８の近傍に配置されているボタン１４６とボタン１５０の形態がそれぞれボタン記号３０２、ボタン記号３０４に対応しているため、ボタン１４６、１５０を押すことによって印刷部数の印刷設定を変更する要求を入力できることをユーザは認識できる。尚、本実施例では全て図形で構成されたボタン記号を例示しているが、ボタン記号の形態は文字でも良い。ボタン１４６、１５０が押されるたびに、制御部７２は印刷部数の印刷設定を増減させ、設定されている印刷部数を表す数字３００を更新する。
【００３２】
ボタン１２８が押されると、制御部７２は設定を初期値に変更するとともに、ＦＰＤ８８に設定の初期値を表示する。この処理は、全てのモードで共通である。
ボタン１６０が押されるたびに、インク残量のステータス表示処理、印字ヘッド３４のクリーニング処理、印字ヘッド３４のノズル詰まりを検出するためのテストパターンの印刷処理、用紙と印字ヘッド３４との間隔調整処理、インクカートリッジの交換処理、画質調整の設定処理、フチ無し印刷の余白幅調整処理、コピー品質の設定処理などを起動する画面を制御部７２はＦＰＤ８８に表示する。
【００３３】
オールプリントモードで開始ボタン１３０が押されると、リムーバブルメモリ９６に格納されている全ての画像に外部メモリコントローラ９４が順にアクセスし、外部メモリコントローラ９４によって入力された画像に対してデコード、解像度変換、アンシャープ処理、階調補正、二値化、分版処理等の画像処理をディジタル画像処理部８０が施すことにより印刷データを生成し、プリントユニット７０が印刷データに基づいて、設定されている印刷部数の用紙に画像を印刷する。またディジタル画像処理部８０は設定されている印刷用紙の品質に応じた画像処理を実行して印刷データを生成する。
【００３４】
（セレクトプリントモード）
オールプリントモードでボタン１７８が押されると、ＭＦＰ１はセレクトプリントモードに遷移する。図９はＭＦＰ１がセレクトプリントモードに遷移した直後の操作パネル６８を示している。セレクトプリントモードでは、ＬＥＤ１８２、１９０、１２０、１３８が点灯し、ＦＰＤ８８には初期設定によって選択された画像３０６とボタン記号３０２、３０４と印刷部数を示す数字３００と選択されている画像の識別子である数字３０８と、リムーバブルメモリ９６に格納されている選択対象の画像の数である数字３１０とが表示される。
モード記号１８８（選んで印刷）の近傍にモード記号１８８に対応付けて配置されているＬＥＤ１９０の点灯により、ユーザはＭＦＰ１がセレクトプリントモードで作動していることを認識できる。
【００３５】
セレクトプリントモードで要求ボタンに相当するボタン１５６、１５２が押されると、画像の選択要求が入力され、制御部７２は印刷対象として設定する画像を順次変更し、ＦＰＤ８８に表示されている画像３０６とその識別子３０８とを更新する。ボタン１５６、１５２の間にボタン記号１５４（画像選択）が印刷されているため、これらのボタンに対応するボタン記号がＦＰＤ８８に表示されていなくても、ユーザはこれらのボタンが印刷対象の画像の変更要求を入力するためのボタンであることを認識できる。尚、制御部７２はＦＰＤ８８にボタン１５６、１５２に対応するボタン記号を表示しても良い。制御部７２が印刷対象として画像を設定する順序は、画像の生成日順、画像が格納されているファイル名のコード順などである。制御部７２はこれらの順序に応じて各画像に識別子を付し、識別子と画像ファイルのアドレスとを関連付けて管理する。
セレクトプリントモードでの用紙品質及び用紙サイズの設定処理は、前述したオールプリントモードでの用紙品質及び用紙サイズの設定処理と同一である。
【００３６】
セレクトプリントモードで開始ボタン１３０が押されると、設定されている印刷対象の画像に外部メモリコントローラ９４がアクセスし、外部メモリコントローラ９４によって入力された画像に対してデコード、解像度変換、アンシャープ処理、階調補正、二値化、分版処理等の画像処理をディジタル画像処理部８０が施すことにより印刷データを生成し、プリントユニット７０が印刷データに基づいて、設定されている印刷部数の用紙に画像を印刷する。またディジタル画像処理部８０は設定されている印刷用紙の品質に応じた画像処理を実行して印刷データを生成する。
【００３７】
（オーダシートプリントモード）
セレクトプリントモードでボタン１７８が押されると、ＭＦＰ１はオーダシートプリントモードに遷移する。図１０はＭＦＰ１がオーダシートプリントモードに遷移した直後の操作パネル６８を示している。オーダシートプリントモードでは、ＬＥＤ１０２が点滅し、ＬＥＤ１１８、１４２が点灯し、ＦＰＤ８８にはオーダシート２１０（図５参照）を模式的に表した図形３１２と「オーダシートを印刷」という文字３１４が表示される。
モード記号１０６（オーダシート（◎印刷／○使ってプリント））の近傍にモード記号１０６に対応付けて配置されているＬＥＤ１０２の点滅により、ユーザはＭＦＰ１がオーダシートプリントモードで作動していることを認識できる。
【００３８】
紙質記号１１２（普通紙）と対応付けて配置されているＬＥＤ１１８が点灯することにより、ユーザは紙品質の印刷設定が普通紙であることを認識できる。紙サイズ記号１４４（Ａ４）と対応付けて配置されているＬＥＤ１４２が点灯することにより、ユーザは紙サイズの印刷設定がＡ４であることを認識できる。セレクトプリントモードでは、紙サイズ及び紙品質の設定を変更する必要がないため、ボタン１２４又はボタン１３６の操作が無効になるように、制御部７２はこれらのボタンを監視しない。
【００３９】
セレクトプリントモードで開始ボタン１３０が押されると、リムーバブルメモリ９６に格納されている全ての画像に外部メモリコントローラ９４が順にアクセスし、外部メモリコントローラ９４によって入力された画像をディジタル画像処理部８０がデコードし、制御部７２がＲＯＭ７６に格納されているテンプレートにデコードされた画像を割り付けてオーダシート画像を生成し、ディジタル画像処理部８０がオーダシート画像に対して二値化、分版処理等の画像処理を施すことにより印刷データを生成し、プリントユニット７０が印刷データに基づいてオーダシート２１０を印刷する。その後ＭＦＰ１はオーダプリントモードに遷移する。尚、制御部７２は開始ボタン１３０がこれらの処理の実行要求を入力するボタンであることを表すボタン記号をＦＰＤ８８に表示しても良い。
【００４０】
（オーダプリントモード）
オーダシートプリントモードでボタン１７８又は開始ボタン１３０が押されると、ＭＦＰ１はオーダプリントモードに遷移する。図１１はＭＦＰ１がオーダプリントモードに遷移した直後の操作パネル６８を示している。オーダプリントモードでは、ＬＥＤ１０２が点灯し、ＦＰＤ８８にはオーダシート２１０をプラテンガラス１２に載置する動作を模式的に表した図形３１６と「オーダシートから写真プリント」という文字３１７と開始ボタン１３０を模式的に表したボタン記号３１８とが表示される。
【００４１】
モード記号１０６（オーダシート（◎印刷／○使ってプリント））の近傍にモード記号１０６に対応付けて配置されているＬＥＤ１０２の点灯により、ユーザはＭＦＰ１がオーダプリントモードで作動していることを認識できる。また、オーダシートプリントモードでは点滅していたＬＥＤ１０２がオーダプリントモードでは点灯し続けるため、オーダシートプリントモードとオーダプリントモードに強い関連性があることをユーザは認識できる。すなわち制御部７２がこれら２つのモードを１つのＬＥＤ１０２の点灯と点滅で表示することによって、オーダプリントモードではオーダシートプリントモードで印刷されたオーダシート２１０が必要になるということをユーザが認識することが容易になる。
【００４２】
オーダプリントモードでは紙品質及び紙サイズの印刷設定がオーダシート２１０に記入されるマークの認識によって入力されるため、紙品質に対応しているＬＥＤ１１８、１２０、１２２、紙サイズに対応しているＬＥＤ１３４、１３８、１４２のいずれも点灯しない。
【００４３】
オーダプリントモードで開始ボタン１３０が押されると、プラテンガラス１２に載置されているオーダシート２１０をスキャンユニット５０が読み取り、スキャンユニット５０が読み取った画像を制御部７２が解析してユーザに選択された印刷対象の画像、紙品質及び紙サイズを認識し、認識した印刷対象の画像、紙品質及び紙サイズを設定する。次に、リムーバブルメモリ９６に格納されている印刷対象の画像に外部メモリコントローラ９４が順にアクセスし、外部メモリコントローラ９４によって入力された画像に対してデコード、解像度変換、アンシャープ処理、階調補正、二値化、分版処理等の画像処理をディジタル画像処理部８０が実行することにより印刷データを生成し、プリントユニット７０が印刷データに基づいて、設定されている印刷部数の用紙に画像を印刷する。またディジタル画像処理部８０は設定されている印刷用紙の品質に応じた画像処理を実行して印刷データを生成する。オーダプリントモードでは開始ボタン１３０を模した図形３１８がＦＰＤ８８に表示されているため、ユーザは開始ボタン１３０を押すことによりこれらの処理の実行要求が入力されることを認識できる。
【００４４】
（手書き合成シートプリントモード）
オーダプリントモードでボタン１７８が押されると、ＭＦＰ１は手書き合成シートプリントモードに遷移する。図１２はＭＦＰ１手書き合成シートプリントモードに遷移した直後の操作パネル６８を示している。手書き合成シートプリントモードでは、ＬＥＤ１０４が点滅し、ＬＥＤ１１８、１４２が点灯し、ＦＰＤ８８には「レイアウト選択」という文字３２２、「ハガキ」という文字３２６、手書き文字とユーザが選択した画像のレイアウトを模式的に表す図形３２４と、ボタン１５６を模式的に表すボタン記号３２８と、ボタン１５２を模式的に表すボタン記号３３０と、開始ボタン１３０を模式的に表すボタン記号３２０とが表示される。
【００４５】
モード記号１０４（手書き合成シート（◎印刷／○合成プリント）の近傍にモード記号１０４と対応付けて配置されたＬＥＤ１０４の点滅により、ユーザはＭＦＰ１がセレクトプリントモードで作動していることを認識できる。
手書き合成シートプリントモードで操作パネル６８が図１２に示す状態にあるときに要求ボタンに相当するボタン１５６、１５２が押されると、制御部７２は手書き文字とユーザが選択する画像とのレイアウト設定を変更し、ＦＰＤ８８のレイアウト設定を示す図形３２４及び文字３２６を更新する。手書き合成シートプリントモードではボタン１５６、１５２を模したボタン記号３２８、３３０がレイアウト設定を示す図形３２４及び文字３２６とともにＦＰＤ８８に表示されるため、ボタン１５６、１５２を押すことによりレイアウト設定の変更要求が入力されることをユーザは認識できる。
【００４６】
手書き合成シートプリントモードにおける紙質及び紙サイズの印刷設定に関する処理は、オーダシートプリントモードにおける紙質及び紙サイズの印刷設定に関する処理と同一である。
手書き合成シートプリントモードで操作パネル６８が図１２に示す状態にあるときに開始ボタン１３０が押されると、制御部７２はＦＰＤ８８の画面を図１３に示す画面に更新する。このとき、ＦＰＤ８８には、初期設定によって選択された画像３３２と選択されている画像の識別子である数字３３４と、リムーバブルメモリ９６に格納されている選択対象の画像の数である数字３３６とが表示される。
【００４７】
手書き合成シートプリントモードで操作パネル６８が図１３に示す状態にあるときに要求ボタンに相当するボタン１５６、１５２が押されると、制御部７２は手書き文字と合成して印刷する対象として設定する画像を順次変更し、ＦＰＤ８８に表示されている画像３３２とその識別子３３４とを更新する。ボタン１５６、１５２の間にボタン記号１５４（画像選択）が印刷されているため、これらのボタンに対応するボタン記号がＦＰＤ８８に表示されていなくても、ユーザはこれらのボタンが印刷対象の画像の変更要求を入力するためのボタンであることを認識できる。尚、制御部７２はＦＰＤ８８にボタン１５６、１５２に対応するボタン記号を表示しても良い。
【００４８】
手書き合成シートプリントモードで操作パネル６８が図１３に示す状態にあるときに開始ボタン１３０が押されると、リムーバブルメモリ９６に格納されている印刷対象画像に外部メモリコントローラ９４がアクセスし、外部メモリコントローラ９４によって入力された画像をディジタル画像処理部８０がデコードし、制御部７２がＲＯＭ７６に格納されているテンプレートにデコードされた画像を淡色化して割り付けて手書き合成シート画像を生成し、ディジタル画像処理部８０が手書き合成シート画像に対して二値化、分版処理等の画像処理を施すことにより印刷データを生成し、プリントユニット７０が印刷データに基づいて手書き合成シート２３２を印刷する。その後、ＭＦＰ１は手書き合成プリントモードに遷移する。尚、制御部７２は開始ボタン１３０がこれらの処理の実行要求を入力するボタンであることを表すボタン記号をＦＰＤ８８に表示しても良い。
【００４９】
（手書き合成プリントモード）
手書き合成シートプリントモードでボタン１７８が押されるか、操作パネル６８が図１２に示す状態にあるときに開始ボタン１３０が押されると、ＭＦＰ１は手書き合成プリントモードに遷移する。図１４はＭＦＰ１が手書き合成プリントモードに遷移した直後の操作パネル６８を示している。手書き合成プリントモードでは、ＬＥＤ１０４が点灯し、ＦＰＤ８８には手書き合成シート２３２をプラテンガラス１２に載置する動作を模式的に表した図形３３８と「合成して写真プリント」という文字３４２と開始ボタン１３０を模式的に表したボタン記号３４０とが表示される。
【００５０】
モード記号１１０（手書き合成シート（◎印刷／○合成プリント））の近傍にモード記号１１０に対応付けて配置されているＬＥＤ１０４の点灯により、ユーザはＭＦＰ１が手書き合成プリントモードで作動していることを認識できる。また、手書き合成シートプリントモードでは点滅していたＬＥＤ１０４が手書き合成プリントモードでは点灯し続けるため、手書き合成シートプリントモードと手書き合成プリントモードに強い関連性があることをユーザは認識できる。すなわち制御部７２がこれら２つのモードを１つのＬＥＤ１０４の点灯と点滅で表示することによって、手書き合成プリントモードでは手書き合成シートプリントモードで印刷された手書き合成シート２３２が必要になるということをユーザが認識することが容易になる。
【００５１】
手書き合成シートプリントモードで紙品質及び紙サイズの印刷設定が入力されているため、手書き合成プリントモードでは、紙品質に対応しているＬＥＤ１１８、１２０、１２２、紙サイズに対応しているＬＥＤ１３４、１３８、１４２のいずれも点灯しない。尚、これらの設定をユーザに認識させるためにＬＥＤ１１８、１２０、１２２の１つと、ＬＥＤ１３４、１３８、１４２の１つとを点灯させ、ボタン１２４、１３６の操作を無効にしても良い。
【００５２】
手書き合成プリントモードで開始ボタン１３０が押されると、プラテンガラス１２に載置されている手書き合成シート２３２をスキャンユニット５０が読み取り、スキャンユニット５０が読み取った画像を制御部７２が解析して印刷部数等を認識し、認識した印刷部数等を設定する。次に制御部７２が手書き文字を画像２３６から分割し、ユーザが手書き合成シートプリントモードで選択した画像と手書き文字とを合成した画像を生成する。次に、合成された画像に対して解像度変換、アンシャープ処理、階調補正、二値化、分版処理等の画像処理をディジタル画像処理部８０が施すことにより印刷データを生成し、プリントユニット７０が印刷データに基づいて、設定されている印刷部数の用紙に画像を印刷する。手書き合成プリントモードでは開始ボタン１３０を模した図形３４０がＦＰＤ８８に表示されているため、ユーザは開始ボタン１３０を押すことによりこれらの処理の実行要求が入力されることを認識できる。
【００５３】
以上説明したオールプリントモード、セレクトプリントモード、オーダシートプリントモード、オーダプリントモード、手書き合成シートプリントモード、手書き合成プリントモードは、１つのボタン１７８に対応付けられており、ユーザはボタン１７８を押すことによって巡回的に選択することができる。これらのモードは、全てリムーバブルメモリ９６から画像を入力して印刷する機能を提供するモードであるため、互いの機能の類似度が高い。互いに類似度が高い機能を提供するモードを、それらのモードとは類似度が低い機能を提供するボタンとは異なる１つのボタンで選択できるため、操作パネル６８によるＭＦＰ１の操作性は良好である。
【００５４】
（写真プリントモード）
ボタン１６４が押されると、ＭＦＰ１は写真プリントモードに遷移する。図１５は、写真プリントモードに遷移した直後の操作パネル６８を示している。各写真プリントモードでは、ＭＦＰ１は以下の機能を提供する。
１．紙焼き写真を読み取り、読み取った画像を印刷する機能
２．紙焼き写真を読み取り、読み取った画像を退色復元して印刷する機能
３．カラーネガフィルムを読み取り、読み取った画像を反転処理して印刷する機能
４．カラーネガフィルムを読み取り、読み取った画像を反転処理し退色復元して印刷する機能
５．カラーポジフィルムを読み取り、読み取った画像を印刷する機能
６．カラーポジフィルムを読み取り、読み取った画像を退色復元して印刷する機能
７．マウントフィルムを読み取り、読み取った画像を印刷する機能
８．マウントフィルムを読み取り、読み取った画像を退色復元して印刷する機能
９．モノクロネガフィルムを読み取り、読み取った画像を印刷する機能
１０．モノクロネガフィルムを読み取り、読み取った画像を退色復元して印刷する機能
尚、説明の都合上、これらの機能は異なるモードとして説明するが、これらは１つのモードの異なる設定で提供される機能であるととらえることもできる。
【００５５】
上記１〜１０のいずれの機能を提供する写真プリントモードでも、ＬＥＤ１６２、１２０、１３８が点灯し、ＦＤＰ８８にはボタン１５６、１５２を模式的に表したボタン記号３４４、３４８とが表示される。また各写真プリントモードでは、紙焼き写真、写真フィルム等の各モードで読み取る原稿を模式的に表した図形３４６がＦＰＤ８８に表示される。
モード記号１５８（フィルム／写真）の近傍にモード記号１５８と対応付けて配置されたＬＥＤ１６２の点灯により、ユーザはＭＦＰ１が写真プリントモードグループに属するいずれかの写真プリントモードで作動していることを認識できる。
【００５６】
ある写真プリントモードで操作パネル６８が図１５の状態にあるときに要求ボタンであるボタン１５６、１５２が押されると、ＭＦＰ１は他の写真プリントモードに遷移する。尚、写真プリントモード間の遷移に伴う表示を、オールプリントモード、セレクトプリントモード、オーダシートプリントモード、オーダプリントモード、手書き合成シートプリントモード、手書き合成プリントモード間の遷移に伴う前述した表示を適用しても良い。例えば原稿種が同じモード間で遷移すると同じＬＥＤの点滅と点灯が切り替わり、原稿種が違うモード毎に点灯するＬＥＤが変わってもよい。
【００５７】
写真プリントモードで操作パネル６８が図１５の状態にあるときに開始ボタン１３０が押されると、スキャンユニット５０はプラテンガラス１２に載置されている紙焼き写真、カラーネガフィルム、カラーポジフィルム、マウントフィルム又はモノクロネガフィルムを読み取り、読み取られた画像に対してディジタル画像処理部８０が原稿種に応じた画像処理を施し、操作パネル６８は図９に示す状態になる。このとき、ＦＰＤ８８にはスキャンユニット５０によって読み取られた画像３０６が表示される。この状態での印刷対象画像と印刷部数の設定処理は、セレクトプリントモードと同一である。
【００５８】
写真プリントモードで操作パネル６８が図９の状態にあるときに開始ボタン１３０が押されると、ディジタル画像処理部８０が印刷対象画像に対して解像度変換、アンシャープ処理、階調補正、二値化、分版処理等の画像処理を施すことにより印刷データを生成し、プリントユニット７０が印刷データに基づいて、設定されている印刷部数の用紙に画像を印刷する。
【００５９】
（等倍コピーモード）
オールプリントモード、セレクトプリントモード、オーダシートプリントモード、オーダプリントモード、手書き合成シートプリントモード、手書き合成プリントモード、写真プリントモード、変倍コピーモードのいずれかでボタン１６６が押されると、ＭＦＰ１は等倍コピーモードに遷移する。図１６は変倍コピーモードに遷移した直後の操作パネル６８を示している。
【００６０】
等倍コピーモードでは、ＬＥＤ１６８、１１８、１４２が点灯し、ＦＰＤ８８には印刷部数を示す数字３５０、ボタン１４６を模式的に表したボタン記号３５２、ボタン１５０を模式的に表したボタン記号３５４、ボタン１５６を模式的に表したボタン記号３５６、ボタン１５２を模式的に表したボタン記号３６２、文字３５８（カラー）、文字３６０（モノクロ）が表示される。
【００６１】
モード記号１７０（等倍）の近傍にモード記号１７０と対応付けて配置されているＬＥＤ１６８の点灯により、ユーザはＭＦＰ１が等倍コピーモードで作動していることを認識できる。
等倍コピーモードにおける紙品質及び紙サイズの設定処理は、前述したオールプリントモードでの用紙品質及び用紙サイズの設定処理と同一である。
等倍コピーモードでボタン１５６、１５２が押されるたびに、制御部７２はカラーコピーとモノクロコピーの設定を切り換え、その設定に応じた文字３５８（カラー）、文字３６０（モノクロ）の一方が反転表示される。尚、カラーコピーとモノクロコピーの機能をモードの選択によって選択させてもよい。例えば、ＬＥＤ１６８の点滅により等倍カラーコピーモードを表示し、同じＬＥＤ１６８の点灯により等倍モノクロコピーモードを表示しても良い。
【００６２】
等倍コピーモードで開始ボタン１３０が押されると、スキャンユニット５０はプラテンガラス１２に載置されている原稿を読み取り、スキャンユニット５０が読み取った画像に対してディジタル画像処理部８０が解像度変換、アンシャープ処理、階調補正、二値化、分版処理等の画像処理を施すことにより印刷データを生成し、プリントユニット７０が印刷データに基づいて、設定されている印刷部数の用紙に原稿と等倍で画像を印刷する。またディジタル画像処理部８０は設定されている印刷用紙の品質やカラーコピー／モノクロコピーの設定に応じた画像処理を実行して印刷データを生成する。
【００６３】
（変倍コピーモード）
等倍コピーモードでボタン１６６が押されると、ＭＦＰ１は変倍コピーモードに遷移する。図１７は変倍コピーモードに遷移した直後の操作パネル６８を示している。変倍コピーモードでは、ＬＥＤ１６８ではなくＬＥＤ１７２が点灯し、ＦＰＤ８８に変倍を模式的に表す図形３６４が表示される点を除いて操作パネル６８の状態及びその遷移は等倍コピーモードと同一である。
【００６４】
等倍コピーモードで開始ボタン１３０が押されると、スキャンユニット５０はプラテンガラス１２に載置されている原稿を読み取り、スキャンユニット５０が読み取った画像に対してディジタル画像処理部８０が解像度変換、アンシャープ処理、階調補正、二値化、分版処理等の画像処理を施すことにより印刷データを生成し、プリントユニット７０が印刷データに基づいて、設定されている印刷部数の用紙に設定されている紙サイズに応じた大きさで画像を印刷する。またディジタル画像処理部８０は設定されている印刷用紙の品質やカラーコピー／モノクロコピーの設定に応じた画像処理を実行して印刷データを生成する。
【図面の簡単な説明】
【００６５】
【図１】本発明の一実施例に係る平面図。
【図２】本発明の一実施例に係る平面図。
【図３】本発明の一実施例に係る模式図。
【図４】本発明の一実施例に係るブロック図。
【図５】本発明の一実施例に係る平面図。
【図６】本発明の一実施例に係る平面図。
【図７】本発明の一実施例に係る平面図。
【図８】本発明の一実施例に係る平面図。
【図９】本発明の一実施例に係る平面図。
【図１０】本発明の一実施例に係る平面図。
【図１１】本発明の一実施例に係る平面図。
【図１２】本発明の一実施例に係る平面図。
【図１３】本発明の一実施例に係る平面図。
【図１４】本発明の一実施例に係る平面図。
【図１５】本発明の一実施例に係る平面図。
【図１６】本発明の一実施例に係る平面図。
【図１７】本発明の一実施例に係る平面図。
【符号の説明】
【００６６】
１：マルチファンクションプリンタ、５０：スキャンユニット、７０：プリントユニット、１０６、１１０、１５８、１７０、１７４、１８４、１８８：モード記号、１１２、１１４、１１６：紙質記号、１２４：ボタン（紙質選択ボタン）、１３０：開始ボタン、１３３、１４０、１４４：紙サイズ記号、１３６：ボタン（紙サイズ選択ボタン）、１４６：ボタン（要求ボタン）、１５０：ボタン（要求ボタン）、１５４、３１８、３２０、３２８、３３０、３４０、３４４、３５２、３５６、３６２：ボタン記号、１５２：ボタン（要求ボタン）、１５６：ボタン（要求ボタン）、１６６、１７８：ボタン（第一グループ選択ボタン）、１６６：ボタン（第二グループ選択ボタン）
【図１】
2007041183.tif 000003
【図２】
2007041183.tif 000004
【図３】
2007041183.tif 000005
【図４】
2007041183.tif 000006
【図５】
2007041183.tif 000007
【図６】
2007041183.tif 000008
【図７】
2007041183.tif 000009
【図８】
2007041183.tif 000010
【図９】
2007041183.tif 000011
【図１０】
2007041183.tif 000012
【図１１】
2007041183.tif 000013
【図１２】
2007041183.tif 000014
【図１３】
2007041183.tif 000015
【図１４】
2007041183.tif 000016
【図１５】
2007041183.tif 000017
【図１６】
2007041183.tif 000018
【図１７】
2007041183.tif 000019